(57)【特許請求の範囲】
【請求項１】
電子機器において、
第１筐体と、
第１辺および前記第１辺と交差する第２辺を有する外周をもち且つ前記第１辺に沿った第１領域および前記第２辺に沿った第２領域を有する第２筐体と、
前記第１筐体の面に交差する方向の第１回転軸を有し、前記第１回転軸により前記第１筐体に対して前記第２筐体を回転可能に前記第１筐体と前記第２筐体の第１辺とを結合する結合ユニットと、
前記第１領域と前記第２領域とが交差する前記第２筐体の領域に設けられた指紋読み取りセンサと、
を備え、
前記指紋読み取りセンサは前記第１辺に沿って操作され且つ前記第１回転軸側から前記第２辺側に向かう方向に操作される指の指紋を読み取ることを特徴とする電子機器。
【請求項２】
前記第２筐体は当該第２筐体の表面から当該第２筐体内側に設けられた前記指紋読み取りセンサの端部の隣接部分から前記表面方向に向かう斜面部を有することを特徴とする請求項１記載の電子機器。
【請求項３】
前記第２筐体の第２領域に内蔵されたアンテナを備えたことを特徴とする請求項１または２記載の電子機器。
【請求項４】
前記第２筐体は、前記外周を構成し前記第２領域の当該第２筐体内に前記アンテナを収納する枠体を有することを特徴とする請求項３記載の電子機器。
【請求項５】
前記枠体は、情報を表示する表示画面を有する表示ユニットを、前記外周よりも内側の位置に、該表示画面を露出した状態に保持するものであって、前記アンテナは、前記表示ユニットよりも前記外周寄りの位置に、前記第２辺に沿わせて配置されたものであることを特徴とする請求項４記載の電子機器。
【請求項６】
前記枠体の外周と前記表示ユニットとに挟まれた位置に、さらに別のアンテナが内蔵されていることを特徴とする請求項５記載の電子機器。
【請求項７】
前記結合ユニットは前記第１筐体に対して前記第２筐体を開閉可能にし、前記第２筐体側に位置する前記第１筐体の面と平行な第２回転軸を有することを特徴とする請求項１乃至６のいずれか１項に記載の電子機器。
【請求項８】
前記第２筐体は前記表示画面の位置に座標指示入力が可能な入力デバイスを有することを特徴とする請求項５記載の電子機器。
【請求項９】
前記第１筐体は前記面にキーボードを有することを特徴とする請求項１乃至８のいずれか１項に記載の電子機器。
【発明の詳細な説明】
【技術分野】
【０００１】
本発明は、第１筐体と、第１筐体の表面に交差する回転軸回りで相対回転自在に第１筐体に連結される第２筐体とを備える電子機器に関する。
【背景技術】
【０００２】
ノートブック型のパーソナルコンピュータ（以下、「ノートパソコン」）は、表面にキーボードを有する本体筐体と、表面に画面（例えば、液晶ディスプレイ（ＬＣＤ）パネル）を有するディスプレイ用筐体とを備える。ディスプレイ用筐体は、本体筐体の表面に平行な水平軸回りで相対回転自在に本体筐体に連結される。この水平軸回りの回転に基づきディスプレイ用筐体の表面は本体筐体の表面に受け止められる。
【０００３】
また、例えば、コンバーチブル型タブレットＰＣと呼ばれるノートパソコンは、上記水平軸を含む水平面に直交する垂直軸回りで回転することができる。こうしてディスプレイ用筐体は垂直軸回りで回転する。その結果、ディスプレイ用筐体が折り畳まれると、ディスプレイ用筐体は表面で本体筐体の表面に受け止められることもできれば裏面で本体筐体の表面に受け止められることもできる。
【０００４】
このディスプレイ用筐体の側辺部分にスイープ形指紋読み取りセンサを備えたノートパソコンが知られている。（例えば、特許文献１参照）
【特許文献１】特開２００６−２７７０７３号公報
【発明の開示】
【発明が解決しようとする課題】
【０００５】
近年、ノートパソコンは、新たなオペレーティングシステムによる画面使用方法やハイビジョン放送映像表示などにより、画面が旧来の縦横比３：４ではなく縦横比９：１６、いわゆるワイド画面をディスプレイ用筐体の画面として採用されることが主流となりつつある。ノートパソコンはこのように画面の大型化が要求される一方で、その外形サイズの小型化を依然として要求されている。
【０００６】
従って、このようなワイド画面を採用しつつ従来の外形サイズを維持するためには、指紋読み取りセンサをディスプレイ用筐体の側辺部分に搭載することは非常に困難である。特に、指紋読み取りセンサがスイープ形指紋読み取りセンサの場合、正常に指紋が読み取られるよう、指紋読み取りセンサから離れた位置から指の操作を開始するためのスペースを必要とする。
【０００７】
また、このようなワイド画面を採用したディスプレイ用筐体に上記特許文献１に開示される位置に指紋読み取りセンサを搭載した場合、垂直軸からの距離とワイド画面によるＬＣＤパネルの重量とが災いして、指紋読み取りセンサで指紋を読み取るための指操作の最中に、意図せずディスプレイ用筐体が垂直軸回りで回転して操作性が悪い。
【０００８】
本発明は、上記実状に鑑みてなされたもので、ワイド画面を採用したディスプレイ用筐体であっても、操作性がよい指紋読み取りセンサを備えた電子機器を提供することを目的とする。
【課題を解決するための手段】
【０００９】
上記目的を達成する本発明の電子機器は、第１筐体と、第１辺および前記第１辺と交差する第２辺を有する外周をもつ第２筐体と、上記第１筐体の面に交差する方向の第１回転軸を有し、上記第１回転軸により上記第１筐体に対して上記第２筐体を回転可能に上記第１筐体と上記第２筐体の第１辺とを結合する結合ユニットと、上記第２筐体の第１辺に設けられた指紋読み取りセンサと、を備える。このように、本発明は第２筐体の第１辺に指紋読み取りセンサを設けることで、第２筐体が指紋読み取りセンサを操作している最中に第１回転軸で回転することを抑止できる。
【００１０】
また、上記指紋読み取りセンサは上記第１辺に沿った操作の指の指紋を読み取るものであってもよい。このような構成によれば、このような指の操作を必要とする指紋読み取りセンサを搭載する電子機器の操作性が非常に向上する。
【００１１】
また、上記指紋読み取りセンサは上記第１辺と上記第２辺が交差する上記第２筐体の上記第１辺の位置に設けてもよい。このような構成によれば、ユーザは指紋の読み取りの際に容易に指を操作でき、正常な指紋読み取りが可能となる。
【００１２】
また、上記第２筐体は当該第２筐体の表面から当該第２筐体内側に設けられた上記指紋読み取りセンサの端部の隣接部分から上記表面方向に向かう斜面部を有するものであってもよい。このような構成によれば、斜面部が正常な指紋読み取りのための指操作を可能とさせる。
【００１３】
また、上記第２筐体は上記第２辺の当該第２筐体内に電子部品を有するものであってもよい。この電子部品はアンテナであることが望ましい。このような構成によれば、良好な受信状態を可能とする。
【００１４】
また、上記第２筐体は上記外周を構成し、上記第２辺の当該第２筐体内に上記電子部品を収納する枠体を有するものであってもよい。このような構成によれば、第２辺に位置する電子部品は、第２筐体に隠蔽して保持される。
【００１５】
また、上記第２筐体は上記第１辺に電子部品を有するものであってもよい。この電子部品は操作スイッチであってもいいし、上記電子機器の所定の動作状態を示す表示器であってもよい。このような構成によれば、第２筐体の第１辺に搭載される指紋読み取りセンサにより確保された第２筐体の第１辺におけるスペースに操作スイッチや表示器を搭載できるし、逆に、第２筐体の第１辺に搭載される操作スイッチや表示器により確保された第２筐体の第１辺におけるスペースに指紋読み取りセンサを搭載できる。
【００１６】
また、上記第２筐体は上記外周を構成し、上記第１辺の位置に上記電子部品を有する枠体を有するものであってもよい。このような構成によれば、操作スイッチや表示器、または指紋読み取りセンサは、それらが実装される基板を第２筐体に隠蔽して保持される。
【００１７】
また、上記結合ユニットは上記第１筐体に対して上記第２筐体を開閉可能にし、上記第２筐体側に位置する上記第１筐体の面と平行な第２回転軸を有するものであってもよい。このような構成によれば、第１回転軸および第２回転軸によりとりうる第２筐体の様々な姿勢にて指紋読み取りセンサを使用できる。
【００１８】
また、上記第１筐体は機器本体部であり、上記第２筐体は画面を有する表示部であってもよい。この第２筐体である表示部は画面の位置に座標指示入力が可能な入力デバイスを有するものであってもよい。
【００１９】
また、上記第１筐体は上記面にキーボードを有するものであってもよい。
【００２０】
また、上記目的を達成する本発明の電子機器は、第１筐体と、第１辺およびその第１辺と交差する第２辺を有する外周をもつ第２筐体と、上記第１筐体の面に交差する方向の第１回転軸を有し、上記第１回転軸により上記第１筐体に対して上前記第２筐体を回転可能に上記第１筐体と上記第２筐体の第１辺とを結合する結合ユニットと、上記第２筐体の第１辺に設けられた指紋読み取りセンサと、上記第２筐体の第２辺に内蔵されたアンテナと、を備える電子機器であってもよい。
【００２１】
このように、この態様の本発明は、第２筐体の第１辺に指紋読み取りセンサを設けることで、第２筐体が指紋読み取りセンサを操作している最中に第１回転軸で回転することを抑止できる。また、この態様の本発明は、上記第２筐体の上記第２辺の当該第２筐体内にアンテナを有するものであり、良好な送受信状態を可能とする。
【００２２】
ここで、この態様の本発明において、上記第２筐体は、上記外周を構成し上記第２辺の当該第２筐体内に上記アンテナを収納する枠体を有するものであってもよい。このような構成によれば、第２辺に位置する電子部品は、第２筐体に隠蔽して保存される。
【００２３】
また、この態様の本発明において、上記枠体は、情報を表示する表示画面を有する表示ユニットを、上記外周よりも内側の位置に、表示画面を露出した状態に保持するものであって、上前記アンテナは、表示ユニットよりも外周寄りの位置に、上記第２辺に沿わせて配置されたものであってもよい。
【００２４】
本発明は、ワイド画面を採用したディスプレイ用筐体であっても、小さな寸法の部品であるアンテナを第２辺に配置し、良好な送受信状態が可能である。
【００２５】
さらに、この態様の本発明において、上記枠体の外周と上記表示ユニットとに挟まれた位置に、さらに別のアンテナが内蔵されていてもよい。
【発明の効果】
【００２６】
本発明によればワイド画面を採用したディスプレイ用筐体であっても、操作性がよい指紋読み取りセンサを備えた電子機器を提供することができる。
【発明を実施するための最良の形態】
【００２７】
以下、図面を参照しつつ本発明の実施形態を説明する。
【００２８】
図１は本発明の一実施形態に係る電子機器すなわちノートブックパーソナルコンピュータ１１（以下「ノートパソコン」）の外観を示す。このノートパソコン１１は、第１筐体すなわち本体筐体１２と、本体筐体１２に連結される第２筐体すなわちディスプレイ用筐体１３とを備える。本体筐体１２やディスプレイ用筐体１３は例えばポリカーボネートといった強化樹脂材料で構成される。なお、ディスプレイ用筐体１３は薄型化に伴う強度向上のためマグネシウム合金（例えば、Ｍｇ−Ａｌ−Ｚｎ）で構成してもよい。図１はディスプレイ用筐体１３が本体筐体１２に閉じられた状態を示している。
【００２９】
本体筐体１２は、例えばマザーボードを内蔵する。このマザーボード上には例えばＣＰＵ（中央演算処理装置）やメモリといった電子回路素子が搭載される。ＣＰＵは、例えば
メモリに一時的に格納されるソフトウェアプログラム（オペレーティングシステムやアプリケーションプログラムなど）やデータに基づき様々な演算処理を実行する。このようなソフトウェアプログラムやデータは、同様に本体筐体１２内に収納されるハードディスク駆動装置（ＨＤＤ）といった大容量記憶装置に格納されればよい。
【００３０】
本体筐体１２の表面には、キーボード１４やポインティングデバイス１５といった入力装置が配置される。キーボード１４は任意の仮想平面に沿って配列された複数のキーを有する。ノートパソコン１１の使用者は、このような入力装置１４、１５を用いてＣＰＵに向けて様々な指令やデータを入力することができる。
【００３１】
図２はディスプレイ用筐体１３が本体筐体１２に対して開かれた状態の本発明のノートパソコン１１の外観を示す。
【００３２】
ディスプレイ用筐体１３は、例えば画面縦横比が９：１６のワイド型液晶ディスプレイ（ＬＣＤ）パネル１６といった平面ディスプレイパネルを内蔵する。ディスプレイ用筐体１３はその外形を形成し、内側に開口を区画する枠体１７を備える。この枠体１７と背面カバーとによりＬＣＤパネル１６はディスプレイ用筐体１３に収納される。ＬＣＤパネル１６の表示画面はこの枠体１７の開口でディスプレイ用筐体１３の表面に露出する。表示画面はＣＰＵの演算処理に基づき様々なテキストやグラフィックスを表示する。また、ディスプレイ用筐体１３は、ＬＣＤパネル１６の裏側に電磁誘導方式デジタイザを備えている。使用者はスタイラスペンにより表示画面上を操作することで座標を指示することが可能であり、表示画面上の表示オブジェクトを座標指示することによってＣＰＵに対して様々な指令やデータを入力できる。なお、デジタイザに替えてＬＣＤパネル１６の表面にタッチパネルを配置してもよい。タッチパネルには例えば光学式や静電容量式、超音波式、抵抗膜式といった各種のタッチパネルを用いることができる。例えばタッチパネルとして抵抗膜式タッチパネルを採用すれば、使用者はタッチパネルへの指の接触によりその接触位置を基にＣＰＵに向けて様々な指令やデータを入力することができる。
【００３３】
ディスプレイ用筐体１３は、結合ユニットである二軸回り回転機構１８（以下、「回転機構」）で本体筐体１２に連結される。この回転機構１８は、本体筐体１２およびディスプレイ用筐体１３の間で第１回転軸すなわち本体筐体１２のキーボード１４の搭載面と交差する軸（例えば、Ｙ１−Ｙ２方向軸）回りの回転および第２回転軸すなわち本体筐体１２のキーボード１４の搭載面と平行な水平軸（Ｘ１−Ｘ２方向軸）回りの回転を実現する。ここで、回転機構１８の水平軸はディスプレイ用筐体１３の第１辺に結合される。
【００３４】
枠体１７はディスプレイ用筐体１３の第１辺に沿ってその表面に電子機器の所定の動作状態を表示するＬＥＤ群１９および操作スイッチ群２０を露出する。ＬＥＤ群１９は、例えば、バッテリ充電表示、ハードディスクアクセス表示、Ｎｕｍ  Ｌｏｃｋ表示、Ｃａｐｓ  Ｌｏｃｋ表示、Ｓｃｒｏｌｌ  Ｌｏｃｋ表示、セキュリティ表示のための複数個のＬＥＤを備える。なお、この複数個のＬＥＤに替えてＬＣＤで各種動作状態を表示するようにしてもよい。また、操作スイッチ群２０は、Ｐａｇｅ  Ｄｏｗｎボタン、Ｐａｇｅ  Ｕｐボタン、画面ローテーションボタン、Ｆｎボタン、Ｃｔｒｌ＋Ａｌｔ＋Ｄｅｌｅｔｅボタン、電源ボタンを備える。その電源ボタンに隣接して電源Ｏｎ／Ｏｆｆ状態表示ランプも備えている。これらＬＥＤ群１９および操作スイッチ群２０はそれぞれ基板上に実装されており、その基板は枠体１７によって隠蔽されディスプレイ用筐体１３内に収納される。
【００３５】
また、ディスプレイ用筐体１３はその第１辺であって、その第１辺と交差する第２辺との交差位置に指紋読み取りセンサ２１を備える。指紋読み取りセンサ２１は基板上に実装されており、センサ部分が操作可能に枠体１７から露出されると共に、その基板は枠体１７によって隠蔽されディスプレイ用筐体１３内に収納される。
【００３６】
図３は図２の状態からディスプレイ用筐体１３を第１回転軸回りに時計回り方向に回転させた状態の本発明のノートパソコン１１の外観を示し、図４は図３の状態からディスプレイ用筐体１３を第１回転軸回りに時計回り方向にさらに回転させ、かつ水平軸回りに回転させてディスプレイ用筐体１３を本体筐体１２に閉じた状態の本発明のノートパソコン１１の外観を示す。
【００３７】
図５は図２の状態におけるノートパソコン１１の指紋読み取りセンサ２１付近の拡大図を示す。
【００３８】
指紋読み取りセンサ２１はディスプレイ用筐体１３の基準表面から奥まった位置に搭載されている。枠体１７はその指紋読み取りセンサ２１の端部に隣接する位置からディスプレイ用筐体１３の第１辺に沿って且つディスプレイ用筐体１３の基準表面方向に傾斜する所定長の斜面部分２２を有する。この斜面部分２２は指紋読み取りセンサ２１によって正常な指紋読み取りを可能とする指の操作を誘導する。つまり、使用者はこの斜面部分２２から指紋読み取りセンサ２１に向かって指を移動することで指紋読み取りセンサ２１により指紋を走査させる。使用者がこの斜面部分２２に沿って指を操作した結果、指紋読み取りセンサ２１により走査して得られた指紋データは例えばメモリに一次的に格納される。こうした指紋読み取りセンサ２１は、例えばオペレーティングシステム（ＯＳ）へのログオン認証時やネットワークへのログオン認証時、ソフトウェアプログラムの起動時に利用される。使用者は予め左手や右手の指の指紋データをノートパソコン１１に登録しておく。ＣＰＵは、例えばＨＤＤ内に格納される指紋認証用ソフトウェアプログラムに基づき、得られた指紋データと、例えば予めＨＤＤ内に格納される指紋データとを照合して指紋の認証を行う。
【００３９】
このように、指紋読み取りセンサ２１はディスプレイ用筐体１３の第１辺に沿った位置にあり、ディスプレイ用筐体１３の画面側辺部分に配置される場合と比べて回転機構１８の垂直軸からの距離が短くなることから、指紋読み取りのための指の操作によってかかる力でディスプレイ用筐体１３が垂直軸回りに回転することが抑止される。また、ディスプレイ用筐体１３の第１辺に回転機構１８を取り付けるために必要なスペースを利用して指紋読み取りセンサ２１をディスプレイ用筐体１３に搭載しており、ノートパソコン１１の外形サイズを増大することなく電子機器に指紋読み取りセンサ２１を搭載している。また、ＬＣＤパネル１６の表示画面上に抵抗膜式タッチパネルを搭載した場合、指紋読み取りのための指操作によって誤って表示画面上のタッチパネルを操作することもなくなり、電子機器の誤操作を防止できる。
【００４０】
図６は図４の状態のノートパソコン１１をＺ１方向からＺ２方向に見た状態のノートパソコン１１の外観を示す図であり、図７は図６の状態におけるノートパソコン１１の指紋読み取りセンサ２１付近の拡大図を示す。
【００４１】
なお、ＬＣＤパネル１６をディスプレイ用筐体１３に搭載するため、枠体１７下となるＬＣＤパネル１６の側辺部分とディスプレイ用筐体１３（枠体１７）の側壁間にＬＣＤパネル１６の固定機構を必要とする。この固定機構のために設けたスペースのうちの空きスペースにも電子部品を搭載することができる。その電子部品として例えばテレビ放送電波受信用のアンテナを搭載すると非常に良好な電波受信を実現することが可能となる。
【００４２】
図８は、本実施形態のノートパソコンのうちのディスプレイ用筐体のみを示した正面図である。
【００４３】
これまでにも説明したように、中央には、ＬＣＤパネル１６が備えられ、その周囲には枠体１７が広がっている。また、第１辺、すなわち、回転機構１８を備える下辺の左端には、指紋読み取りセンサ２１が備えられ、それに隣接して斜面部２２が形成されている。
【００４４】
また、その下辺には、内蔵されたＬＥＤ群１９の表示窓を有し、各表示窓には各ステータスをイメージさせるイラストが付されている。さらに、その右側には、内蔵された操作スイッチ群２０を押下するためのボタン群と、さらにその右には、内蔵された電源投入用の電源スイッチ２３を操作するための操作子が配置されている。
【００４５】
さらに、この図８には、上辺の４箇所および下辺の４箇所に組立時のネジを覆うネジ隠し２４があらわれている。
【００４６】
図９は、図８に示すディスプレイ用筐体の、ＬＣＤパネル周囲の枠体を取り外して示した正面図である。
【００４７】
この図９には、下辺に、ＬＣＤ群１９が搭載された表示用基板１９１や、操作スイッチ群２０が搭載された操作用基板２０１が配置され、さらにその右に、電源スイッチ２３が配置されている。
【００４８】
また、本発明にいう第２辺、すなわち、ＬＣＤパネル１６の左側の辺には、そのＬＣＤパネル１６と外周との間にアンテナ３１が配置されている。このアンテナ３１は、無線ＬＡＮ（ＩＥＥＥ８０２．１１ｎ）用のアンテナである。
【００４９】
図１０に、この無線ＬＡＮ（ＩＥＥＥ８０２．１１ｎ）用のアンテナの斜視図を示す。
【００５０】
このアンテナ３１は、板金で作成されている。
【００５１】
また、図９の上辺には、その左右に１つずつ、合計２つのアンテナ３２，３３が配置されている。これら２つのアンテナ３２，３３は、いずれも、無線ＬＡＮ（ＩＥＥＥ８０２．１１ｂ／ｇ）用アンテナであって同一形状のものである。
【００５２】
図１１にその無線ＬＡＮ（ＩＥＥＥ８０２．１１ｂ／ｇ）用アンテナの斜視図を示す。
【００５３】
このアンテナは、基板上に搭載されており、特性の微調整が可能となっている。
【００５４】
尚、図９には、この図１１に示すアンテナ３２，３３の裏面があらわれている。
【００５５】
また、図９の右辺にも、２つのアンテナ３５，３６が配置されている。
【００５６】
これら２つのアンテナ３５，３６は、いずれも電話網を使ってデータ通信するためのＵＭＴＳ（Ｕｎｉｖｅｒｓａｌ  Ｍｏｂｌｉｅ  Ｔｅｌｅｃｏｍｍｕｎｉｃａｔｉｏｎｓ  Ｓｙｓｔｅｍ）用アンテナであるが、そのうちの一方のアンテナ３５は板金で作成されたもの、他方のアンテナ３６は基板上に搭載されたものであって、双方でダイバーシティ通信方式を担っており、送受信の高性能化が図られている。
【００５７】
図１２に、板金で作成された、ＵＭＴＳ用アンテナの斜視図を示し、図１３に、基板上に搭載されたＵＭＴＳ用アンテナの斜視図を示す。
【００５８】
なお、本発明の電子機器には、前述のノートパソコン１１に加えて、例えば携帯電話端末装置や携帯情報端末（ＰＤＡ）といったその他の電子機器を含むことができる。
【００５９】
以下に本発明を付記する。
【００６０】
（付記１）
電子機器において、
第１筐体と、
第１辺および前記第１辺と交差する第２辺を有する外周をもつ第２筐体と、
前記第１筐体の面に交差する方向の第１回転軸を有し、前記第１回転軸により前記第１筐体に対して前記第２筐体を回転可能に前記第１筐体と前記第２筐体の第１辺とを結合する結合ユニットと、
前記第２筐体の第１辺に設けられた指紋読み取りセンサと、
を備えることを特徴とする電子機器。
【００６１】
（付記２）
前記指紋読み取りセンサは前記第１辺に沿った操作の指の指紋を読み取ることを特徴とする付記１記載の電子機器。
【００６２】
（付記３）
前記指紋読み取りセンサは前記第１辺と前記第２辺が交差する前記第２筐体の前記第１辺の位置に設けられていることを特徴とする付記１または２記載の電子機器。
【００６３】
（付記４）
前記第２筐体は当該第２筐体の表面から当該第２筐体内側に設けられた前記指紋読み取りセンサの端部の隣接部分から前記表面方向に向かう斜面部を有することを特徴とする付記１乃至３のいずれか１項に記載の電子機器。
【００６４】
（付記５）
前記第２筐体は前記第２辺の当該第２筐体内に電子部品を有することを特徴とする付記１乃至４のいずれか１項に記載の電子機器。
【００６５】
（付記６）
前記第２辺の電子部品はアンテナであることを特徴とする付記５記載の電子機器。
【００６６】
（付記７）
前記第２筐体は前記外周を構成し、前記第２辺の当該第２筐体内に前記電子部品を収納する枠体を有することを特徴とする付記５または６記載の電子機器。
【００６７】
（付記８）
前記第２筐体は前記第１辺に電子部品を有することを特徴とする付記１乃至４のいずれか１項に記載の電子機器。
【００６８】
（付記９）
前記第１辺の電子部品は操作スイッチであることを特徴とする付記８記載の電子機器。
【００６９】
（付記１０）
前記第１辺の電子部品は前記電子機器の所定の動作状態を示す表示器であることを特徴とする付記８または９記載の電子機器。
【００７０】
（付記１１）
前記第２筐体は前記外周を構成し、前記第１辺の位置に前記電子部品を有する枠体を有することを特徴とする付記８乃至１０のいずれか１項に記載の電子機器。
【００７１】
（付記１２）
前記結合ユニットは前記第１筐体に対して前記第２筐体を開閉可能にし、前記第２筐体側に位置する前記第１筐体の面と平行な第２回転軸を有することを特徴とする付記１乃至１１のいずれか１項に記載の電子機器。
【００７２】
（付記１３）
前記第１筐体は機器本体部であり、前記第２筐体は画面を有する表示部であることを特徴とする付記１乃至１２のいずれか１項に記載の電子機器。
【００７３】
（付記１４）
前記第２筐体は前記画面の位置に座標指示入力が可能な入力デバイスを有することを特徴とする付記１３記載の電子機器。
【００７４】
（付記１５）
前記第１筐体は前記面にキーボードを有することを特徴とする付記１３記載の電子機器。
【００７５】
（付記１６）
電子機器において、
第１筐体と、
第１辺および前記第１辺と交差する第２辺を有する外周をもつ第２筐体と、
前記第１筐体の面に交差する方向の第１回転軸を有し、前記第１回転軸により前記第１筐体に対して前記第２筐体を回転可能に前記第１筐体と前記第２筐体の第１辺とを結合する結合ユニットと、
前記第２筐体の第１辺に設けられた指紋読み取りセンサと、
前記第２筐体の第２辺に内蔵されたアンテナと、
を備えることを特徴とする電子機器。
【００７６】
（付記１７）
前記第２筐体は、前記外周を構成し前記第２辺の当該第２筐体内に前記アンテナを収納する枠体を有することを特徴とする付記１６記載の電子機器。
【００７７】
（付記１８）
前記枠体は、情報を表示する表示画面を有する表示ユニットを、前記外周よりも内側の位置に、該表示画面を露出した状態に保持するものであって、前記アンテナは、前記表示ユニットよりも前記外周寄りの位置に、前記第２辺に沿わせて配置されたものであることを特徴とする付記１７記載の電子機器。
【００７８】
（付記１９）
前記枠体の外周と前記表示ユニットとに挟まれた位置に、さらに別のアンテナが内蔵されていることを特徴とする付記１８記載の電子機器。
【図面の簡単な説明】
【００７９】
【図１】本発明の一実施形態に係る電子機器すなわちノートパソコンであり、ディスプレイ用筐体を本体筐体に閉じた状態の外観を示す図である。
【図２】ディスプレイ用筐体が本体筐体に対して開かれた状態の本発明のノートパソコンの外観を示す図である。
【図３】図２の状態からディスプレイ用筐体を第１回転軸回りに時計回り方向に回転させた状態の本発明のノートパソコンの外観を示す図である。
【図４】図３の状態からディスプレイ用筐体を第１回転軸回りに時計回り方向にさらに回転させ、かつ水平軸回りに回転させてディスプレイ用筐体を本体筐体に閉じた状態の本発明のノートパソコンの外観を示す図である。
【図５】図２の状態におけるノートパソコンの指紋読み取りセンサ付近の拡大図を示す図である。
【図６】図４の状態のノートパソコンをＺ１方向からＺ２方向に見た状態のノートパソコンの外観を示す図である。
【図７】図６の状態におけるノートパソコンの指紋読み取りセンサ付近の拡大図を示す図である。
【図８】本実施形態のノートパソコンのうちのディスプレイ用筐体のみを示した正面図である。
【図９】図８に示すディスプレイ用筐体の、ＬＣＤパネル周囲の枠体を取り外して示した正面図である。
【図１０】無線ＬＡＮ（ＩＥＥＥ８０２．１１ｎ）用のアンテナの斜視図である。
【図１１】無線ＬＡＮ（ＩＥＥＥ８０２．１１ｂ／ｇ）用アンテナの斜視図である。
【図１２】板金で作成された、ＵＭＴＳ用アンテナの斜視図である。
【図１３】基板上に搭載された、ＵＭＴＳ用アンテナの斜視図である。
【符号の説明】
【００８０】
１１    ノートパソコン
１２    本体筐体
１３    ディスプレイ用筐体
１４    キーボード
１５    ポインティングデバイス
１６    液晶ディスプレイパネル
１７    枠体
１８    二軸回り回転機構
１９    ＬＥＤ群
２０    操作スイッチ群
２１    指紋読み取りセンサ
２２    斜面部分
２３    電源スイッチ
１９１    表示用基板
２０１    操作用基板
【図１】
0004983459.tif 000002
【図２】
0004983459.tif 000003
【図３】
0004983459.tif 000004
【図４】
0004983459.tif 000005
【図５】
0004983459.tif 000006
【図６】
0004983459.tif 000007
【図７】
0004983459.tif 000008
【図８】
0004983459.tif 000009
【図９】
0004983459.tif 000010
【図１０】
0004983459.tif 000011
【図１１】
0004983459.tif 000012
【図１２】
0004983459.tif 000013
【図１３】
0004983459.tif 000014